(57)【要約】気泡歯ブラシは、ブラシハンドル部（１）とブラシハンドル部の一端に位置するブラシヘッド部（２）を備える。ブラシハンドル部（１）の中には、圧力気体装置（６）と、気体装置により発生される圧力気体をブラシヘッド部に伝送する気体伝送通路（５）とを有し、ブラシハンドル部には気体発生装置をコントロールする制御装置（４）が設置されている。気体発生装置は圧縮気体タンク又は鼓膜式マイクロポンプであり、ブラシヘッド部とブラシハンドル部との間は固定的に連結されたり、嵌挿又はねじ螺合により連結されたりすることが可能である。当該気泡歯ブラシは、電動又は流体力により気体を供給し、ブラシハンドル部は電池を含まなくてもよく、外部電源又は電池ボックスに接続されてもよい。【選択図】図１
2009533099.tif 000002
【特許請求の範囲】
【請求項１】
気泡歯ブラシであって、
中空のブラシハンドル部（１）と、ブラシハンドル部の一端に位置するブラシヘッド部（２）とを備え、前記ブラシハンドル部の中には、圧力気体発生装置（６）と、圧力気体をブラシヘッド部に伝送する伝送通路（５）とを設置し、前記ブラシハンドル部には、前記気体発生装置をコントロールする制御装置（４）を設置していることを特徴とする気泡歯ブラシ。
【請求項２】
前記ブラシヘッド部（２）は、前記ブラシハンドル部（１）の一部分としての前記ブラシハンドル部（１）の一端に固定され、又は、前記ブラシヘッド部（２）は、ねじ螺合もしくは嵌挿連結方式により前記ブラシハンドル部（１）の一端に連結されており、
前記ブラシハンドル部（１）から発生される圧力気体は、ねじ螺合又は嵌挿の端面上に位置するオーバフロー口及び／又はオーバフロー溝から送り出されることを特徴とする請求項１に記載の気泡歯ブラシ。
【請求項３】
前記圧力気体発生装置（６）は圧縮気体タンクであることを特徴とする請求項１又は２に記載の気泡歯ブラシ。
【請求項４】
前記圧力気体発生装置（６）は鼓膜式マイクロポンプであり、前記ブラシハンドル部（１）の他の一端には電源接続装置（３）が設置されていることを特徴とする請求項１又は２に記載の気泡歯ブラシ。
【請求項５】
前記ブラシヘッド部（２）及びブラシハンドル部（１）は径方向又は軸方向に可動的に嵌挿されており、
前記ブラシハンドル部から発生される圧力気体は、前記ブラシハンドル部（１）に設けられた出口及び前記ブラシヘッド部（２）のブラシの間の孔から送り出されることを特徴とする請求項２に記載の気泡歯ブラシ。
【請求項６】
前記電源接続装置（３）は、外部電源用の挿入口、又は電池ボックスを可動的に取り付ける接口装置であることを特徴とする請求項４に記載の気泡歯ブラシ。
【請求項７】
前記電源接続装置（３）の端面には、固定方式により電池納置用の電池ボックスが設置されていることを特徴とする請求項４に記載の気泡歯ブラシ。
【請求項８】
前記電源接続装置（３）の端面には、可動方式により電池納置用の電池ボックスが設置されていることを特徴とする請求項４に記載の気泡歯ブラシ。
【請求項９】
前記電池ボックスの周囲に誘導コイルが設置され、当該電池ボックスは、前記誘導コイルと充電電池との間に接続される誘導充電電気回路を含んでいることを特徴とする請求項７又は８に記載の気泡歯ブラシ。
【請求項１０】
前記ブラシハンドル部（１）の中に設けられると共に、前記電源接続装置により駆動する振動ユニットを更に備えることを特徴とする請求項４に記載の気泡歯ブラシ。
【発明の詳細な説明】
【技術分野】
【０００１】
本発明は、歯ブラシに関する。より具体的には、多種で柔軟的な構造を有する気泡歯ブラシに関する。
【背景技術】
【０００２】
現在の市場には、多機能歯ブラシ、電動歯ブラシ等多様なデザインが有るが、これらの多機能歯ブラシ、電動歯ブラシは構造が複雑又は通用性が悪く、人々の多様なニーズを満足させることができない。例えば、歯ブラシのヘッドを簡単に取替えるのは困難である。また、これらの歯ブラシは単一電池で電気を供給する仕様になっているが、歯ブラシは電池使用量が多いため、コスト的に受け入れられ難く、直接これらの歯ブラシの普及と使用に影響を及ぼした。また、人々は歯ブラシの付加機能の多様化を追求するが、歯ブラシの基本機能である歯磨き効果面での開発は少ない。人々には、低コストで使用が便利であり且つ多機能的で歯磨き効果が向上される新タイプの歯ブラシのニーズがある。
【発明の開示】
【発明が解決しようとする課題】
【０００３】
本発明が解決しようとする課題は、合理的に既存技術の上記欠点を克服でき、簡単な構造及び低コストと、柔軟的なブラシヘッドの取替え方法及び柔軟的な電気供給方式とを有し、同時に歯磨き効果を向上し、既存技術が有する問題を完璧に解決したニュータイプの気泡歯ブラシを提供するものである。
【課題を解決するための手段】
【０００４】
本発明は上記技術課題を下記のように解決する。気泡歯ブラシの構造は、ブラシハンドル部と、ブラシハンドル部の一端に設置したブラシヘッド部とを備え、前記ブラシハンドル部の中には、気体発生装置及び気体発生装置より発生される圧力気体を前記ブラシヘッド部に伝送する気体伝達通路を有し、前記ブラシハンドル部の上には気体発生装置をコントロールする制御装置が設置されている。
【０００５】
本発明によって提供される気泡歯ブラシにおいては、前記ブラシヘッド部はブラシハンドル部の一端に固定され、ブラシハンドル部の一部に形成されるか、又は、ねじ螺合又は嵌挿連結方式によりブラシハンドル部の一端に連結される。前記ブラシハンドル部の中から発生される圧力気体は、ねじ螺合又は嵌挿端面上に設置されたオーバフロー口及び／又はオーバフロー溝から送り出される。
【０００６】
本発明によって提供される気泡歯ブラシにおいては、前記気体発生装置は圧力気体タンクである。
【０００７】
本発明によって提供される気泡歯ブラシにおいては、前記気体発生装置は鼓膜式マイクロポンプであり、同時に前記ブラシハンドル部の他の一端には電源接続装置が設置されている。
【０００８】
本発明によって提供される気泡歯ブラシにおいては、前記ブラシヘッド部及びブラシハンドル部は径方向又は軸方向により可動的に嵌挿されている。前記ブラシハンドル部から発生される圧力気体は、ブラシハンドル部に設置されている出口から、及びブラシ部のブラシの隙間の孔から送り出される。
【０００９】
本発明によって提供される気泡歯ブラシにおいては、前記電源接続装置は、外部電源に接続するための挿入口、又は電池ボックスを可動的に取り付ける接口装置（インターフェイス装置）として使用される。
【００１０】
本発明によって提供される気泡歯ブラシにおいては、前記電源接続装置の端面には固定方式により電池納置用の電池ボックスが設置されている。
【００１１】
本発明に従って提供される気泡歯ブラシにおいては、前記電源接続装置の端面には可動方式により電池納置用の電池ボックスが設置されている。
【００１２】
本発明によって提供される気泡歯ブラシにおいては、前記電池ボックスの周囲には誘導コイルが設置され、誘導コイルと充電電池との間に接続された誘電充電電気回路も含まれている。
【００１３】
本発明によって提供される気泡歯ブラシにおいては、ブラシハンドル部の中に設置され電源接続装置により駆動する振動ユニットが含まれ、歯ブラシに振動機能をもたせる。振動ユニットは偏心電機（偏心モータ）であってもよい。
【００１４】
本発明で提供される気泡歯ブラシの発明を既存技術と比較すると、以下の顕著な長所がある。１）中空のブラシハンドル部中の気体発生器より発生される圧力気体は、歯磨きの過程で、大量の気泡を発生させ、歯磨き粉が気泡の働きによって歯との接触面積を増大させ、且つ歯磨き粉中の有効成分がより容易に歯の関連位置に進入し、歯磨きの効果を高める。２）ブラシハンドル部はブラシヘッドを含まなくてもよく、ブラシヘッドとブラシハンドル部が可動に連結され、ブラシヘッドの取替えが更に便利且つ迅速になる。３）ブラシハンドル部の中には電池が含まれなくても、電気供給構造が更に柔軟になり、外部電源に接続してもよく、電池ボックスを設置してもよい。
【発明を実施するための最良の形態】
【００１５】
添付の図面と実施例に基づき、更に本発明の特徴を詳細に説明する。
図１に示される本発明の実施例１のオゾン歯ブラシでは、ブラシハンドル部１の一端はブラシヘッド部２であり、ブラシハンドル部１は中空構造であり、中には気体発生器６及び伝送通路５を有する。伝送通路５は、気体発生器６から発生された圧力気体をブラシヘッド部に伝送する。当該気体発生器６はマイクロ圧縮気体のタンクである。また、ブラシヘッド部の上には当該気体発生器を制御するスイッチ装置４が設けられている。
【００１６】
図２に示される本発明の実施例２の気泡歯ブラシでは、ブラシハンドル部１の一端はブラシヘッド部２であり、ブラシハンドル部１の他の一端は電源接続装置３であり、中空のブラシハンドル部１の中には気体発生器６及び気体発生器６から発生される気体をブラシヘッド部に伝送する伝送通路５を有し、当該気体発生器６は鼓膜式マイクロポンプ（即ちマイクロドラムヘッドポンプ）であり、同時にブラシハンドル部１の上には電源接続装置３に連結されるスイッチ装置４が設置されており、気体発生又は開閉をコントロールする。ここで、電源接続装置３は外部電源に接続する挿入口に使用でき、低圧電源を外接することにより、オゾン歯ブラシに給電し、コストダウンはできるが、十分に便利ではない。そのほかに、電池ボックスの接口装置を可動的に設置してもよく、これによって電池ボックス中の電池がポンプに給電することが可能になる。電池ボックスを外接することにより、電池の取替えが更に便利になり、金型も簡略化できる。また端面に電池納置用電池ボックスを固定してもよく、このように電池ボックスとブラシハンドル部は一体となる。ブラシハンドル部は、握り部、及び、ブラシヘッドと握り部との間を連結する棒状連結部に分けてもよい。
【００１７】
図３はブラシヘッド部とブラシハンドル部の連結を詳細に示したものである。図３に示すように、ブラシヘッド部２とブラシハンドル部１は軸方向のねじ山７により螺合、連結される。中空ブラシハンドル部１の中で気体発生器から発生される圧力気体は、ねじ山端面の上に設けられているオーバフロー口及び／又はオーバフロー溝から生み出される。このように、ブラシヘッド部２はねじ山により容易に取り外しが可能であり、取替えが十分便利である。図４は、他の種類のねじ山連結構造を示したものである。
【００１８】
図５はブラシヘッド部とブラシハンドル部との連結の他の一種を詳細に示したものである。図５に示したように、ブラシヘッド部２とブラシハンドル部１は軸方向の嵌挿装置８により嵌挿連接されている。中空ハンドル部１の中の気体発生器６から発生される圧力気体は嵌挿端面上に設置されている排気孔また排気溝から生み出される（未表示）。同様に、ブラシヘッド部２は容易にブラシハンドル部又はブラシハンドル部の上から外せ、ブラシヘッドの取替えがとても便利である。
【００１９】
図６に示される実施例では、ブラシヘッド部２とブラシハンドル部１は直径方向のねじ山により連結され、ブラシハンドル部１中の気体発生器から発生される圧力気体はブラシハンドル部１の上に設置されているオーバフロー口及び／又はオーバフロー溝から送り出される。ここで、ブラシヘッド部は、基板、基板上に設置される複数のブラシ束、及び基板とブラシハンドル部を連結するねじ山／ねじ９の構造が含まれる。
【００２０】
図７に示される実施例では、ブラシヘッドとブラシハンドル部は嵌挿装置により互いに直径方向に可動的に嵌挿されている。前記ブラシハンドル部の中から発生される圧力気体は、ブラシハンドル部上に設置されるオーバフロー口及び／又はオーバフロー溝から送り出される。ここで、オーバフロー口及び／又はオーバフロー溝はブラシヘッド部と相対される。
【００２１】
本発明の他の実施例では、中空ブラシハンドル部の一端の電源接続装置３には電池ボックスの接口装置が可動的に取り付けられ、電池ボックスの周囲には誘導コイルが設置され、誘導コイルが充電電池との間に接続する誘導充電電気回路が含まれる。このように、外部の誘導式充電器により充電を行い、気泡歯ブラシの使用コストを大幅に低減することが可能になる。
【図面の簡単な説明】
【００２２】
【図１】本発明に係わる気泡歯ブラシ実施例１の構造説明図である。
【図２】本発明に係わる気泡歯ブラシ実施例２の局部構造説明図である。
【図３】本発明に係わる気泡歯ブラシ実施例３の局部構造説明図である。
【図４】本発明に係わる気泡歯ブラシ実施例４の局部構造説明図である。
【図５】本発明に係わる気泡歯ブラシ実施例５の局部構造説明図である。
【図６】本発明に係わる気泡歯ブラシ実施例６の構造説明図である。
【図７】本発明に係わる気泡歯ブラシ実施例６の構造説明図である。
【図１】
2009533099.tif 000003
【図２】
2009533099.tif 000004
【図３】
2009533099.tif 000005
【図４】
2009533099.tif 000006
【図５】
2009533099.tif 000007
【図６】
2009533099.tif 000008
【図７】
2009533099.tif 000009
【国際調査報告】
2009533099.tif 000010
2009533099.tif 000011
2009533099.tif 000012
2009533099.tif 000013
2009533099.tif 000014
2009533099.tif 000015